(57)【要約】【課題】旋回型作業機械の上部旋回体における、座席・操縦用装置などを設置するオペレータステーションの座席後方側の取付構造を、上部旋回体を大きくすることなく、またカウンタウエイトを利用することなく、簡単な構造で、十分な強度を付与したものにする。【解決手段】旋回型作業機械が、下部走行体と、下部走行体上に旋回自在に取り付けられた上部旋回体と、上部旋回体に取り付けられた、座席、操縦用装置が設置されるオペレータステーション、およびオペレータステーションの座席後方に位置するエンジン冷却用熱交換器を支持し、かつオペレータステーションの座席後方を支持する熱交換器取付体とを備える。【選択図】図１
2006315551.tif 000002
【特許請求の範囲】
【請求項１】
下部走行体と、
下部走行体上に旋回自在に取り付けられた上部旋回体と、
上部旋回体に取り付けられた、
座席、操縦用装置が設置されるオペレータステーション、および
オペレータステーションの座席後方に位置するエンジン冷却用熱交換器を支持し、
かつオペレータステーションの座席後方を支持する熱交換器取付体と
を備えている、ことを特徴とする旋回型作業機械。
【請求項２】
熱交換器取付体が、
熱交換器を囲う門型に形成され、門型の上部にオペレータステーションが支持されている、
ことを特徴とする、請求項１記載の旋回型作業機械。
【請求項３】
上部旋回体に取り付けられた、オペレータステーションの座席後方を支持する支持体を備え、
支持体が、熱交換器取付体に向けて延び熱交換器取付体に連結された連結板を備え、
この連結板の上にオペレータステーションの座席後方部が取り付けられている、
ことを特徴とする、請求項２記載の旋回型作業機械。
【請求項４】
オペレータステーションが、
それぞれ平板状に延びた、座席を支持する座席取付部、ならびに座席取付部の前側下方に位置した床部および後側上方に位置した座席後方部を備え、
床部が上部旋回体の旋回体フレームに、また座席後方部が該連結板に、それぞれ弾性マウントを介し取り付けられている、
ことを特徴とする、請求項３記載の旋回型作業機械。
【発明の詳細な説明】
【技術分野】
【０００１】
本発明は、旋回型作業機械、さらに詳しくは、旋回型作業機械の上部旋回体に備えられるオペレータステーションの取付構造に関する。
【背景技術】
【０００２】
例えば油圧ショベルのような旋回型作業機械は、下部走行体と、下部走行体上に旋回自在に取り付けられた上部旋回体を備えている。上部旋回体には、座席、操縦用装置などが設置されたオペレータステーションが取り付けられている。オペレータステーションの座席後方の下方にはエンジンが設置されている（例えば、特許文献１、２参照）。
【０００３】
旋回型作業機械の上部旋回体の外周縁は、旋回時における周囲障害物との干渉の可能性を減らすために、また運転席からの周囲視界を良好にするために、可能な限り小さく形成されている。したがって、オペレータステーション、エンジンなどは、他の機器、装置などとともに、限られたスペースの中に設置されている。
【０００４】
オペレータステーションを上部旋回体に取り付ける場合、座席後方側は、エンジンを回避するために左右に一対の脚部を備え（例えば、特許文献１参照）、あるいはエンジンと並んで外側に設置されたカウンタウエイトに左右一対の支柱部を備えている（例えば、特許文献２参照）。
【特許文献１】特開２００４−１４３６７２号公報
【特許文献２】特開２００４−２８５６９９号公報
【発明の開示】
【発明が解決しようとする課題】
【０００５】
しかしながら上述したとおりの形態の従来の旋回型作業機械には、オペレータステーションの座席後方側の取付構造に関して、次のとおりの改善の望まれている問題がある。
【０００６】
（１）左右一対の脚部を備える場合、上部旋回体のスペースが限られるので剛性を有した大型の脚部の設置が難しい。脚部を大きくすると設置スペースが大きくなり上部旋回体の外周縁が大きくなる。
【０００７】
（２）カウンタウエイトに左右一対の支柱部を備える場合、バランスウエイトであるカウンタウエイトは旋回型作業機械の全てに必ずしも備えられない。また備えても、オペレータステーションを支持するのに適した位置に設置されるとはかぎらない。
【０００８】
本発明は上記事実に鑑みてなされたもので、その技術的課題は、旋回型作業機械の上部旋回体における、座席、操縦用装置などを設置するオペレータステーションの座席後方側の取付構造を、上部旋回体を大きくすることなく、またカウンタウエイトを利用することなく、簡単な構造で、かつ十分な強度を付与したものにすることである。
【課題を解決するための手段】
【０００９】
本発明によれば上記技術的課題を解決する旋回型作業機械として、下部走行体と、下部走行体上に旋回自在に取り付けられた上部旋回体と、上部旋回体に取り付けられた、座席、操縦用装置が設置されるオペレータステーション、およびオペレータステーションの座席後方に位置するエンジン冷却用熱交換器を支持し、かつオペレータステーションの座席後方を支持する熱交換器取付体とを備えている、ことを特徴とする旋回型作業機械が提供される。
【００１０】
好適には、熱交換器取付体は、熱交換器を囲う門型に形成され、門型の上部にオペレータステーションが支持される。また、上部旋回体に取り付けられた、オペレータステーションの座席後方を支持する支持体を備え、支持体は、熱交換器取付体に向けて延び熱交換器取付体に連結された連結板を備え、この連結板の上にオペレータステーションの座席後方部が取り付けられている。さらに、オペレータステーションは、それぞれ平板状に延びた、座席を支持する座席取付部、ならびに座席取付部の前側下方に位置した床部および後側上方に位置した座席後方部を備え、床部が上部旋回体の旋回体フレームに、また座席後方部が該連結板に、それぞれ弾性マウントを介し取り付けられている。
【発明の効果】
【００１１】
本発明に従って構成された旋回型作業機械は、下部走行体上に取り付けられた上部旋回体に、座席、操縦用装置が設置されるオペレータステーションと、オペレータステーションの座席後方下方に位置する、エンジンにより生成される冷却風が流される熱交換器を支持しかつオペレータステーションの座席後方を支持する熱交換器取付体を備えている。したがって、オペレータステーションを熱交換器支持体に取り付けることにより、この部分に新規に支持脚を備える必要がなく、カウンタウエイトを利用する必要もなく、簡単な構造で、かつ十分な強度を付与して、オペレータステーションを取り付けることができる。
【発明を実施するための最良の形態】
【００１２】
以下、本発明に従って構成された旋回型作業機械について、その代表例である油圧ショベルにおける好適実施形態を図示している添付図面を参照して、さらに詳細に説明する。
【００１３】
図５を参照して説明する。全体を番号２で示す油圧ショベルは、下部走行体４と、下部走行体４上に旋回自在に取り付けられた上部旋回体６と、上部旋回体６に取り付けられた、座席８、操縦用装置１０などが設置されたオペレータステーション１２、およびオペレータステーション１２の座席８後方（図５の右方）の下方に位置したエンジン１４を備えている。上部旋回体６の運転席８前方（図５の左方）には、バケット１６を有した多関節の作業装置１８が取り付けられている。
【００１４】
オペレータステーション１２を中心に上部旋回体６における本発明の構成の要部を示した平面図である図１ならびにその側面図である図２および後面図である図３を参照した説明する。オペレータステーション１２は、それぞれ水平平板状に延びた、座席８（図５）を支持する座席取付部１２ａならびに座席取付部１２ａの前側下方に位置した床部１２ｂおよび後側上方に位置した座席後方部１２ｃを、一体に備えている。
【００１５】
上部旋回体６はまた、オペレータステーション１２の後下方に位置したエンジンに１４より生成される冷却風が流される、ラジエータ、オイルクーラなどの熱交換器２０を支持しまたオペレータステーション１２の座席８後方の一側、右側を支持する熱交換器取付体２２を備えている。
【００１６】
熱交換器取付体２２は、熱交換器２０を囲う門型直方体状の剛体に形成されており、門型の上部にオペレータステーション１２を支持する棚部２２ａが備えられている。熱交換器取付体２２はその基部２２ｂが上部旋回体６の旋回体フレーム６ａに複数個のボルト２４によって取り付けられている。熱交換器取付体２２のエンジン１４に対向した面にはエンジンファン（図示していない）による冷却風が通される円形の開口２２ｃが形成されている。
【００１７】
オペレータステーション１２の座席後方の他側、左側部分には、この部分を支持する、上部旋回体６の旋回体フレーム６ａに立設された支持体２６が備えられている。支持体２６は、旋回体フレーム６ａに複数個のボルト２８により取り付けられた基板２６ａと、基板２６ａに一体に立設された断面チャンネル形状の支柱２６ｂと、支柱２６ｂの上端に一体に取り付けられ熱交換器取付体２２の棚部２２ａに向けて延び棚部２２ａに２個のボルト３０によって取り付けられた連結板２６ｃを備えている。
【００１８】
この連結板２６ｃに、オペレータステーション１２の座席後方部１２ｃの左右が弾性マウント３２によって取り付けられている。したがって、オペレータステーション１２の座席後方の一側、右側は、熱交換器取付体２２に連結板２６ｃ介して取り付けられている。
【００１９】
オペレータステーション１２は、この座席後方部１２ｃの左右とともに、床部１２ｂの左右２箇所が旋回体フレーム６ａに同様の弾性マウント３２により取り付けられている。
【００２０】
弾性マウント３２は、それ自体は周知のものでよく、図４を参照して説明すると、合成ゴム製の筒状のフランジ付きマウントゴム３２ａを連結板２６ｃ（旋回体フレーム６ａ）の側からオペレータステーション１２の貫通孔１２ｄに挿入し、マウントゴム３２ａにワッシャ３２ｃを介してボルト３２ｂを通し連結板２６ｃ（旋回体フレーム６ａ）のねじ穴にねじ込み、ワッシャ３２ｃによってマウントゴム３２ａを圧縮し、オペレータステーション１２をマウントゴム３２ａによって弾性的に挟持したものである。
【００２１】
上述したとおりの旋回型作業機械の作用について説明する。
【００２２】
旋回型作業機械２は、下部走行体４上に取り付けられた上部旋回体６に、座席８、操縦用装置１０などが設置されるオペレータステーション１２と、オペレータステーション１２の座席後方下方に位置するエンジン１４の冷却用の熱交換器２０を支持しかつオペレータステーション１２の座席後方の左右一側を支持する熱交換器取付体２２を備えている。したがって、オペレータステーション１２の一部を熱交換器支持体２２に取り付けることにより、この部分に新規に支持脚を備えることなく、またカウンタウエイトを利用する必要もなく、簡単な構造で、かつ十分な強度を付与してオペレータステーション１２を取り付けることができる。
【００２３】
また熱交換器取付体２２は、熱交換器２０を囲う門型に形成され、門型の上部にオペレータステーション１２が支持される。したがって、オペレータステーション１２を簡単な構造で、強固に支持することができる。
【００２４】
さらに上部旋回体６に取り付けられた、オペレータステーション１２の座席後方の左右の他側を支持する支持体２６を備え、支持体２６の熱交換器取付体２２に向けて延び熱交換器取付体２２に連結した連結板２６ｃにオペレータステーション１２の座席後方部１２ｃが取り付けられる。したがって、一方の熱交換器取付体２２と他方の支持体２６とが連結板２６ｃによって連結され、オペレータステーション１２はより強固に支持される。
【００２５】
そしてオペレータステーション１２は、それぞれ平板状に延びた、座席８を支持する座席取付部１２ａならびに座席取付部１２ａの前側下方に位置した床部１２ｂおよび後側上方に位置した座席後方部１２ｃを一体に備え、床部１２ｂが上部旋回体６の旋回体フレーム６ａに、座席後方部１２ｂが連結板２６ｃにそれぞれ弾性マウント３２を介し取り付けられる。したがって、座席８、操縦用装置１０などは、エンジン１４と隔壁によって遮断され、また弾性的に支持されるので、快適な運転席が提供される。
【図面の簡単な説明】
【００２６】
【図１】本発明に従って構成された旋回型作業機械の上部旋回体のオペレータステーションを中心に本発明の構成の要部を示した平面図。
【図２】図１のＡ−Ａ矢印方向に見た側面図。
【図３】図２のＢ−Ｂ矢印方向に見た後面図。
【図４】図２のＣ−Ｃ矢印方向に見た弾性マウントの拡大断面図。
【図５】旋回型作業機械の代表例である油圧ショベルの側面図。
【符号の説明】
【００２７】
２：油圧ショベル（旋回型作業機械）
４：下部走行体
６：上部旋回体
８：座席
１０：操縦用装置
１２：オペレータステーション
１４：エンジン
２０：熱交換器
２２：熱交換器取付体
２６：支持体
２６ｃ連結板
３２：弾性マウント
【図１】
2006315551.tif 000003
【図２】
2006315551.tif 000004
【図３】
2006315551.tif 000005
【図４】
2006315551.tif 000006
【図５】
2006315551.tif 000007